(57)【要約】      （修正有）【課題】上下の棚板の間に生じたデッドスペース等を有効に活用するとともに、棚段の幅を適宜変更できるユニット什器を提供する。【解決手段】上下の棚板２０，３０と左右の側板４０ａからなる。上部棚板２０は陳列板２１と、その前後の撓み防止リブ２２，２３と、前方の撓み防止リブ２３に設けた落下防止板２４よりなり、下部棚板３０は陳列板３１と、後部の撓み防止リブ３３と、陳列板３１の前端の落下防止板３４よりなる。側板４０ａは平板と、その内側に設けた支持部よりなり、上部支持部は傾斜部と、その前端に設けた撓み防止リブ挿入溝と、その後端に設けられて側板の補強リブとの間に撓み防止リブ挿入溝を形成する溝形成リブからなり、下部支持台は傾斜部と、その前端に設けた落下防止板固定部と、その後端に設けられて側板の補強リブとの間に撓み防止リブ挿入溝を形成する溝形成リブからなる。【選択図】図２
0003181469.tif 000002
【実用新案登録請求の範囲】
【請求項１】
上下２段の棚板と左右一対の側板からなり、上部の棚板は商品陳列板と、該商品陳列板の前後に設けた撓み防止リブと、前方の撓み防止リブの前面に設けた商品落下防止板よりなり、下部の棚板は商品陳列板と、該商品陳列板の後部に設けた撓み防止リブと、前記商品陳列板の前部に設けた商品落下防止板よりなり、
前記側板は矩形状に形成された平板と、該平板の内側に突出させた上下２段の支持部よりなり、上部の支持部は上段の棚板を固定する傾斜部と、該傾斜部の前部に設けた撓み防止リブ挿入溝と、前記傾斜部の後部に設けられて前記側板に設けた補強リブとの間に撓み防止リブ挿入溝を形成する溝形成リブからなり、下部の支持台は、下段の棚板を固定する傾斜部と、該傾斜部の前部に立設した商品落下防止板固定部と、前記傾斜部の後部に設けられて前記側板に設けた補強リブとの間に撓み防止リブ挿入溝を形成する溝形成リブからなることを特徴とする複数段式のユニット什器。
【請求項２】
前記側板に、該側板に設けられた補強リブとの間に商品案内ボード挿入溝を形成する竪リブを設けた請求項１記載の複数段式のユニット什器。
【請求項３】
上下の棚板に設けられた商品落下防止板の前面にそれぞれ値札等のカードを挿入するポケットを設けた請求項１記載の複数段式のユニット什器。
【考案の詳細な説明】
【技術分野】
【０００１】
本考案は、複数段式のユニット什器に関するものである。
【背景技術】
【０００２】
従来、一般に、コンビニエンスストア、或いは、ドラックストアなどで使用されている商品陳列棚は、棚板が固定式であるから棚板上に商品を陳列すると、商品の背丈にも左右されるが、陳列した商品の上方に多くの空間が生ずる。これらの空間は、デットスペ−スとなるので、商品陳列棚を新たに増設しないかぎり、陳列する商品の数や種類などを増やすことが難しい。
【０００３】
そこで、コンビニエンスストア、或いは、ドラックストアなどで使用されている商品陳列棚のデットスペ−スを減らすために、隣接する上下の棚板の間に設置したり、或いは、商品陳列棚の最上部にある天板の上に設置できるようにした複数段式のユニット什器が考えられ、実際に使用されている。しかしながら、このような複数段式のユニット什器は、側板と一定の長さの棚板をあらかじめ、一体に固定化するようになされているため、ユニット什器の幅（棚板の長さ）を適宜、変更することが難しい。
【０００４】
なお，商品陳列装置としては、上面に複数の板状突起を所定間隔で配設した台座部と、この台座部後端に断面Ｌ字型の溝を複数配設させた背立部を係止させると共に、その両端にサイドカバ−を係止させる商品陳列装置が提案されている（例えば、特許文献１参照）。
【０００５】
しかし、この商品陳列装置は、商品の種類の変更、或いは、売行きにより商品在庫が変化して商品の種類別に並べ換えが生じた場合など、商品の種類、形態等に応じて自由に棚の配置ならびに陳列形態を換えることができるようにした商品陳列装置であり、商品陳列棚のデットスペ−スを減らすことを目的として発明されたものとは言い難い。
【０００６】
また、この商品陳列装置は、サイドカバ−の内側面に設けられた四角形の係止片を台座部と背立部の端部に設けたほぼＣ形の係止溝に差し込む構造になっているため、サイドカバ−と台座部や背立部とが強固に結合されているとは言い難い。また、この商品陳列装置は、背立部に設けられた断面Ｌ字型の溝に各種のトレ−を装着できるようになっているが、これらのトレ−は、片持ち式であるから重量のある商品の陳列には適さないように思われる。
【先行技術文献】
【特許文献】
【０００７】
【特許文献１】特開平７−１６３４４６号公報
【考案の概要】
【考案が解決しようとする課題】
【０００８】
本考案は、隣接する上下の棚板の間に設置したり、或いは、商品陳列棚の最上部にある天板の上に設置することにより、上下の棚板の間に生じたデッドスペース、或いは、商品陳列棚の最上部にある天板の上に生じた空間を有効に活用することができるとともに、棚板の長さを売り場の配置に合わせて適宜変更することが可能な、丈夫で頑丈な複数段式のユニット什器を提供することにある。
【課題を解決するための手段】
【０００９】
本考案の請求項１に係る複数段式のユニット什器は、上下２段の棚板と左右一対の側板からなり、上部の棚板は商品陳列板と、該商品陳列板の前後に設けた撓み防止リブと、前方の撓み防止リブの前面に設けた商品落下防止板よりなり、下部の棚板は商品陳列板と、該商品陳列板の後部に設けた撓み防止リブと、前記商品陳列板の前部に設けた商品落下防止板よりなり、前記側板は矩形状に形成された平板と、該平板の内側に突出させた上下２段の支持部よりなり、上部の支持部は上段の棚板を固定する傾斜部と、該傾斜部の前部に設けた撓み防止リブ挿入溝と、前記傾斜部の後部に設けられて前記側板に設けた補強リブとの間に撓み防止リブ挿入溝を形成する溝形成リブからなり、下部の支持台は、下段の棚板を固定する傾斜部と、該傾斜部の前部に立設した商品落下防止板固定部と、前記傾斜部の後部に設けられて前記側板に設けた補強リブとの間に撓み防止リブ挿入溝を形成する溝形成リブからなることを特徴とする。
【００１０】
本考案の請求項２に係る複数段式のユニット什器は、前記側板に、該側板に設けられた補強リブとの間に商品案内ボード挿入溝を形成する竪リブを設けたことを特徴とする。
【００１１】
本考案の請求項３に係る複数段式のユニット什器は、上下の棚板に設けられた商品落下防止板の前面にそれぞれ値札等のカードを挿入するポケットを設けたことを特徴とする。
【考案の効果】
【００１２】
本考案に係る複数段式のユニット什器は、上下２段の棚板と左右一対の側板により形成されているから、隣接する上下の棚板の間に設置したり、或いは、商品陳列棚の最上部にある天板の上に設置することにより、上下の棚板の間に生じたデッドスペース、或いは、商品陳列棚の最上部にある天板の上に生じた空間を有効に活用することができる。また、上下２段の棚板と左右一対の側板とが互いに固定されているので、非常に丈夫で頑丈にできている。また、本考案の複数段式のユニット什器は、棚板と側板との結合が容易であるので、売り場の配置に合わせて、棚板の長さを適宜、調整することが容易である。
【図面の簡単な説明】
【００１３】
【図１】本考案に係る複数段式のユニット什器の正面図である。
【図２】本考案に係る複数段式のユニット什器のＡ−Ａ断面図である。
【図３】側板の内側面図である。
【図４】側板の平面図である。
【図５】側板の正面図である。
【図６】側板の背面図である。
【図７】撓み防止具の正面図である。
【図８】撓み防止具の側面図である。
【図９】商品陳列棚の正面図である。
【考案を実施するための形態】
【００１４】
本考案の実施形態を図面を用いて説明する。なお、この実施形態では、棚板と側板とを合成樹脂製のボルトナット（プラネジ）で固定する場合を例に採る。
【００１５】
図１に示すように、本考案に係る複数段式のユニット什器１０は、上下２段の棚板２０，３０と左右一対の側板４０ａ，４０ｂより形成されている。なお、右側の側板４０ｂは、左側の側板４０ａと左右対称に形成されているので説明を省略する。
【００１６】
図２に示すように、上段の棚板２０は、商品陳列板２１と、この商品陳列板２１の前後両端に設けた撓み防止リブ２２，２３と、前方の撓み防止リブ２２の前面に設けた商品落下防止板２４より形成されている。
【００１７】
また、下段の棚板３０は、商品陳列板３１と、この商品陳列板３１の後端に設けた撓み防止リブ３３と、商品陳列板３１の前端に設けた商品落下防止板３４より形成されている。
【００１８】
図３に示すように、左側の側板４０ａは、それぞれ、ほぼ矩形状に形成された平板４１と、この平板４１の内側に突出させて設けた上下２段の支持部４２，４３より形成されている。
【００１９】
上部の支持部４２は、上段の棚板２０を固定する傾斜部４４と、この傾斜部４４の前端に設けた第１の撓み防止リブ挿入溝４５と、傾斜部４４の後端に設けられて側板の平板４１に設けた補強リブ４６との間に第２の撓み防止リブ挿入溝４７を形成する溝形成リブ４８から形成されている。更に、傾斜部４４は、側板４０ａの底面に対して所定の角度θ１だけ傾斜している。
【００２０】
また、下部の支持台４３は、下段の棚板３０を固定する傾斜部４９と、この傾斜部４９の前端に立設した商品落下防止板固定部５０と、上記傾斜部４９の後端に設けられて側板の平板４１に設けた補強リブ４６との間に撓み防止リブ挿入溝５１を形成する溝形成リブ５２から形成されている。更に、傾斜部４９は、側板４０ａの底面に対して所定の角度θ２だけ傾斜している。
【００２１】
また、図３〜図４に示すように、上記側板４０ａは、この側板４０ａに設けられた補強リブ４６との間に商品案内ボード挿入溝５４を形成する竪リブ５５を設けている。
【００２２】
また、図２に示すように、上段の棚板２０は、商品落下防止板２４の前面に値札等のカードを挿入するポケット２５を設け、また、下段の棚板３０は、商品落下防止板３４の前面に値札等のカードを挿入するポケット３５を設けている。この際、ポケット２５は、商品落下防止板２４に対して傾斜し、消費者が見やすいようになっている。また、ポケット３５は、商品落下防止板３４に対して傾斜し、消費者が見やすいようになっている。
【００２３】
更に、図３に示すように、上段の支持部４２は、傾斜部４４に前後２個のボルト挿入孔５６を備えている。また、下段の支持部４３は、傾斜部４９に前後２個のボルト挿入孔５７を備えるとともに、商品落下防止板固定部５０にボルト挿入穴５８を設けている。更に、補強リブ４６に上下２個のボルト挿入孔５９を備えている。
【００２４】
図２に示すように、上段の棚板２０は、側板４０の上段支持部４２に合成樹脂製のボルトナット１２によって固定されている。また、下段の棚板３０は、側板４０の下段支持部４３に合成樹脂製のボルトナット１２によって固定されるとともに、商品落下防止板固定部５０に合成樹脂製のボルトナット１２によって固定されている。しかし、所望により、これらの箇所を接着剤によって固着させても差し支えがない。
【００２５】
また、図１に示すように、上段の棚板２０と下段の棚板３０との間に撓み防止具１４を設けることが好ましい。撓み防止具１４は、図７及び図８に示すように、長方形の胴部１５と、胴部１５の上端において互いに反対の方向に屈曲された２つの上片部１６ａ，１６ｂと、前記胴部１５の下端において互いに反対の方向に屈曲された２つの下片部１７ａ，１７ｂより形成されている。ここで、２つの上片部１６ａ，１６ｂと２つの下片部１７ａ，１７ｂとは、平面視において、重複しないように配置されている。
【００２６】
上記側板４０ａ，４０ｂは、透明、半透明、或いは着色された合成樹脂によって一体成型され、上下の棚板２０，３０も同様の合成樹脂によって成型されている。但し、ポケット２５，３５を形成する最前部の前面板２５ａ，３５ａは、役目柄、透明である必要がある。なお、図１において、符号１３は、商品案内ボードを示している。
【００２７】
また、図９に示すように、複数段式のユニット什器１を、商品陳列棚６０の隣接する上下の棚板６１，６１の間に設置したり、或いは、商品陳列棚６０の最上部にある天板６２の上に設置することにより、上下の棚板６１，６１の間に生じたデッドスペース６３、或いは、天板６２の上に生じた空間６４を有効に活用することができる。
【００２８】
なお、本考案の什器を構成する側板、棚板などの素材は、熱可塑性合成樹脂製であればいかなるものでもよいが、例えばポリエチレン、ポリプロピレン、エチレン−α−オレフィン共重合体などのポリオレフィン、ポリ（メタ）アクリル酸エステルなどのアクリル樹脂、（ゴム強化）ポリスチレン、ポリエチレンテレフタレート、ポリブチレンテレフタレート等のポリエステル、ナイロン６、ナイロン６６などのポリアミド、ポリカーボネートなど、いかなる素材も適用可能である。
【産業上の利用可能性】
【００２９】
本考案のユニット什器は、コンビニエンスストアやドラックストアなどで使用されている商品陳列棚として有用である。
【符号の説明】
【００３０】
２０，３０  棚板
２１  陳列板
２２，２３  撓み防止リブ
２４  落下防止板
３１  陳列板
３３  撓み防止リブ
３４  落下防止板
４０  側板
４１  平板
４２，４３  支持部
４４  傾斜部
４５  撓み防止リブ挿入溝
４６  補強リブ
４８  溝形成リブ
４９  傾斜部
５０  落下防止板固定部
５１  撓み防止リブ挿入溝
５２  溝形成リブ
【図１】
0003181469.tif 000003
【図２】
0003181469.tif 000004
【図３】
0003181469.tif 000005
【図４】
0003181469.tif 000006
【図５】
0003181469.tif 000007
【図６】
0003181469.tif 000008
【図７】
0003181469.tif 000009
【図８】
0003181469.tif 000010
【図９】
0003181469.tif 000011